(57)【特許請求の範囲】
【請求項１】
ドアの下端に内蔵されたドア側部材と、床面に固定された台座からなる戸当りであって、該ドア側部材には回転軸に回動自在に取り付けられたストッパーが収納され、該ストッパーには磁石が内蔵され、該台座はその上面がフラットな磁性体で構成され、該ドアが開扉されて該ドア側部材が該台座の上方に位置したとき、該磁石の磁力によって該ストッパーがバネ部材のバネ力に抗して回動し、該ドアの下端と該台座の間に入り込み、該ドアの開扉方向への移動を規制することを特徴とする戸当り。
【請求項２】
該ストッパーは弾性体で構成され、その外形は略三角形であり、該回転軸に近い三角形の頂点に対向する三角形の一辺に相当する下部側面を除く二辺の長さは異なるように構成されたことを特徴とする請求項１記載の戸当り。
【請求項３】
該ストッパーは剛体で構成され、その外形は略二等辺三角形であり、二等辺三角形の底辺に相当する下部側面の略中心の平面に垂直な方向に長孔が二等辺三角形の頂点に近い部分に設けられ、該回転軸は該長孔に通され、該長孔に装着されたスプリングにより該回転軸と該ストッパーの該下部側面側は反発する方向に付勢され、該下部側面の両端の少なくとも一方に曲面が形成されたことを特徴とする請求項１記載の戸当り。
【請求項４】
該台座の上面に溝を形成したことを特徴とする請求項１〜請求項３のいずれかに記載の戸当り。
【発明の詳細な説明】
【技術分野】
【０００１】
本発明は、磁石を利用し所定の位置でドアの開扉方向への移動を規制することのできる戸当りに関するものである。
【背景技術】
【０００２】
従来から、ドアを開いたときにドアと壁との衝突を防止する戸当りが知られている。この戸当りは、建物の床面または壁面に固定されて使用される。
【０００３】
図８は特許文献１に示されている従来の戸当りの構造を示す断面図であるが、ドアＤの下端に埋め込まれたシリンダ１内を上下方向に摺動するピストン２の下端に磁石２ａが装着され、床面Ｆに固定された磁性体で構成される台座５の上にドアが開扉されて位置すると上記磁石２ａが台座５に吸着されるよう構成されている。台座５には壁部５ａ、５ｂがあり、壁部５ｂはドアＤがそれ以上開かないようにするものであり、壁部５ａはドアＤを開放状態で安定に停止保持するためのものである。
【先行技術文献】
【特許文献】
【０００４】
【特許文献１】実用新案登録第３１１８１７６号公報
【発明の概要】
【発明が解決しようとする課題】
【０００５】
しかし、上記従来の戸当りにおいては、台座の上面はフラットではなく、掃除や歩行の邪魔になるという問題があり、美観も損なわれる場合があった。本発明は、上記の問題を解決する戸当りを提供することである。
【課題を解決するための手段】
【０００６】
上記の目的を達成するために、本発明の戸当りは、ドアの下端に内蔵されたドア側部材と、床面に固定された台座からなる戸当りであって、ドア側部材には回転軸に回動自在に取り付けられたストッパーが収納され、ストッパーには磁石が内蔵され、台座はその上面がフラットな磁性体で構成され、ドアが開扉されてドア側部材が台座の上方に位置したとき、磁石の磁力によってストッパーがバネ部材のバネ力に抗して回動し、ドアの下端と台座の間に入り込み、ドアの開扉方向への移動を規制することを特徴とする。
【０００７】
ここで、ストッパーは弾性体で構成され、その外形は略三角形であり、回転軸に近い三角形の頂点に対向する三角形の一辺に相当する下部側面を除く二辺の長さは異なるように構成されていることが好ましい。
【０００８】
また、ストッパーは剛体で構成され、その外形は略二等辺三角形であり、二等辺三角形の底辺に相当する下部側面の略中心の平面に垂直な方向に長孔が二等辺三角形の頂点に近い部分に設けられ、該回転軸は該長孔に通され、該長孔に装着されたスプリングにより該回転軸と該ストッパーの該下部側面側は反発する方向に付勢され、該下部側面の両端の少なくとも一方に曲面が形成されることが好ましい。
【０００９】
また、台座の上面に溝を形成するのが好ましい。
【発明の効果】
【００１０】
本発明によれば上記の構成としたので、台座の上面をフラットとすることができ、掃除や歩行の邪魔にならず、美観を損なうことのない戸当りを提供することができる。
【図面の簡単な説明】
【００１１】
【図１】本発明に係る戸当りを備えたドアの正面図である。
【図２】図１におけるＹ矢視図である。
【図３】本発明に係る戸当りである。
【図４】本発明に係る戸当りの動作を説明する図である。
【図５】本発明に係る戸当りの台座である。
【図６】本発明に係る戸当りの他の実施例を示す図である。
【図７】本発明に係る戸当りの他の実施例の動作を説明する図である。
【図８】従来の戸当りの図である。
【発明を実施するための形態】
【００１２】
以下、本発明を実施するための好適な実施形態について、図面に基づいて説明する。
【００１３】
図１は本発明に係る戸当りを備えたドア１０であり、ドア１０は丁番１３，１３等で壁１１に設けられたドア枠１２に取り付けられている。ドア１０の下端には一部破断して内部を示すように戸当りのドア側部材３０がドア１０に収納されて取り付けられている。２０は床面であり、２１は戸当りの台座である。台座２１は床面２０からわずかに突出しているが上面はフラットであり、磁石が吸引するように磁性体で構成されている。
【００１４】
図２は図１のＹ矢視図であり、台座２１はドア１０がほぼ全開した位置で床面２０に固定されている。矢印Ｘはドアの開扉方向を表している。
【００１５】
図３はドア１０の下端部の側面の断面図であり、本発明に係る戸当りのドア側部材３０が収納されている。ドア側部材３０は、主にケース３６に収納されたストッパー３１で構成され、ドア１０の下端に内蔵されて固定されている。ストッパー３１は、ケース３６に突設された回転軸３２に回動自在に取り付けられ、弾性体で構成され、磁石３５を内蔵している。磁石３５はストッパー３１がドア側部材３０に組み込まれた状態において床面２０に最も近い部分に埋め込まれている。３３はねじりコイルバネ等のバネ部材であり、ストッパー３１を矢印Ｐ方向へ付勢し、通常ではストッパー３１が床面２０に接触しないように保持している。３４は突部であり、ストッパー３１がそれ以上矢印Ｐ方向へ回動しないよう規制している。突部３４はネジ等で構成され、突部３４の長さを変えられるようにしてストッパー３１と床面２０との間隔を調整することができる。３７はスプリングであり、ストッパー３１を矢印Ｐ方向へ付勢している。ストッパー３１の形状は略三角形であり、回転軸３２を通す孔は三角形の一つの頂点の近くに設けられ、その頂点に対向する三角形の一辺に相当する下部側面Ｓ以外の２辺は長さが異なり、突部３４に当接する側面の長さは他の側面の長さより長くなるよう構成されている。
【００１６】
台座２１は図５（ａ）に示すように、上面がフラットに形成された磁性体でできた板であり、ボルト２２，２２で床に固定されている。図５の（ｂ）は台座２１の別の実施例であり、上面に溝２３を施している。図５の（ｃ），（ｄ）は台座２１のさらに別の実施例であり、図５の（ｃ）は平面図、図５の（ｄ）は側面図であるが、台座２１の上面に山形２４を施したものである。溝２３および山形２４はいずれもストッパー３１と台座２１の摩擦力を増大させるのに有効である。
【００１７】
以上のように構成された戸当りの動作を主に図３、図４を使って以下に説明する。図１、図２のように閉じられた状態のドア１０におけるドア側部材３０と床面２０の状態は図３で示すように、ストッパー３１はバネ部材３３の付勢力により突部３４に当接し、床面２０には接触していない。ドア１０を矢印Ｘで示す開扉方向に開扉していくと、ドア側部材３０は台座２１の上方に達することになる。この時の状態を図４（ａ）に示すが、台座２１は磁性体でできているので、磁石３５が磁力によって吸引され、ストッパー３１が回転軸３２の周りでバネ部材３３のバネ力に抗して矢印Ｑ方向へ回動し、わずかにストッパー３１の下部側面Ｓが台座２１の上面と接触する。ドア１０がさらに開扉方向へ移動すると、ストッパー３１は台座２１の上面の摩擦によりさらに回動され、スプリング３７のバネ力にも抗しながらストッパー３１がドア１０の下端と台座２１の間でくさびのようにはまり込み、それ以上回動できなくなり、図４（ｂ）に示した状態で止まる。すなわち、開扉方向への移動が規制されるのである。これは、台座２１の上面に接触する下部側面Ｓにおける回転軸３２から下部側面Ｓの長さがストッパー３１の回動とともに長くなるよう構成されているので、ドア１０の下端と台座２１の間の長さより長くなった時点で、ドア１０の下端と台座２１の間でくさびのような効果を発揮するからである。ドア１０を閉じるときはドア１０から手を離せばよく、ドア１０には図示しないドアクローザが通常設置されているので、その力によりドア側部材３０と台座２１の状態は図４（ｂ）から図４（ａ）へ移り、ドア１０は閉扉する。スプリング３７はこの時のドアクローザの働きを補助するためのものである。
【００１８】
次に本発明の別の実施例について説明する。図６において、図３と同じものには同じ番号を付すが、戸当りのドア側部材５０はストッパー５１を有している。ストッパー５１は、ケース３６に突設された回転軸３２に回動自在に取り付けられ、磁石３５を内蔵しているが、材質は弾性体に限らず剛体でもよい。磁石３５はストッパー５１がドア側部材５０に組み込まれた状態において床面２０に最も近い部分に埋め込まれている。ストッパー５１の形状は、略二等辺三角形であり、二等辺三角形の底辺に相当する下部側面Ｔに垂直な方向に長孔５２が二等辺三角形の頂点に近い部分に設けられ、回転軸３２は長孔５２に通され、長孔５２に装着されたスプリング５３により回転軸３２とストッパー５１の下部側面Ｔ側は反発する方向に付勢されている。このように構成することにより、ストッパー５１が剛体であっても下部側面Ｔに垂直な方向に弾性を有する。回転軸３２から下部側面Ｔまでの距離は同じではなく、回転軸３２を通り下部側面Ｔの略中心の平面に垂直な線上の距離が一番長くなるよう（厳密には、前記平面の両端部分において一番長くなる）、下部側面Ｔの両端は丸みを持った曲面Ｒとして形成されている。５４はスプリング等のバネ部材であり、ストッパー５１を矢印Ｐ方向へ付勢し、通常ではストッパー５１が床面２０に接触しないように保持している。
【００１９】
以上のように構成された戸当りの動作を主に図６、図７を使って以下に説明する。図１、図２のように閉じられた状態のドア１０におけるドア側部材５０と床面２０の状態は図６で示すように、ストッパー５１がバネ部材５４の付勢力により突部３４に当接し、床面２０には接触していない。ドア１０を矢印Ｘで示す開扉方向に開扉していくと、ドア側部材５０は台座２１の上方に達することになる。この時の状態を図７（ａ）に示すが、台座２１は磁性体で構成されているので、磁石３５が磁力によって吸引され、ストッパー５１が回転軸３２の周りでバネ部材５４のバネ力に抗して矢印Ｑ方向へ回動し、わずかにストッパー５１の下部側面Ｔ（曲面Ｒ）が台座２１の上面と接触する。ドア１０がさらに開扉方向へ移動すると、ストッパー５１は台座２１の上面の摩擦によりさらに回動され、バネ部材５４のバネ力に抗しながらストッパー５１がドア１０の下端と台座２１の間でくさびのようにはまり込み、それ以上回動できなくなり、図７（ｂ）に示した状態で止まる。すなわち、開扉方向への移動が規制されるのである。これは、台座２１の上面に接触する下部側面Ｔにおける回転軸３２から下部側面Ｔの長さがストッパー５１の回動とともに長くなるよう構成されているので、ドア１０の下端と台座２１の間の長さより長くなった時点で、ドア１０の下端と台座２１の間でくさびのような効果を発揮するからである。ストッパー５１はスプリング５３によって弾性力が付与されており下部側面Ｔの中心部分は平面であるので、図示しない通常設置されているドアクローザの閉扉力とバネ部材５４のバネ力との間で力のバランスが取れ、図７（ｂ）の状態でドア１０を開放状態で安定に停止保持できる。ドア１０を閉じるときは、ドア１０を閉扉方向へ手で軽く押すと、上記バランスがくずれ、ドア側部材５０と台座２１の状態は図７（ｂ）から図７（ａ）へ移り、ドア１０は閉扉方向へ移動して閉まる。
【００２０】
本発明による戸当りは、上述した実施の形態に限定されず、特許請求の範囲に記載した範囲で種々の変形や改良が可能である。例えば、上記の説明では、ストッパー５１は下部側面Ｔの両端が曲面Ｒとして形成されているとしたが、本発明において効果を発揮するのは磁石３５に近い曲面Ｒであり、下部側面Ｔの両端の少なくとも一方に曲面Ｒが形成されていればよい。
【符号の説明】
【００２１】
１０  ドア、１２  ドア枠、２０  床面、２１  台座、３０  ドア側部材、３１  ストッパー、３３  バネ部材、３２  回転軸、３４  突部、３５  磁石、５０  ドア側部材、５１  ストッパー、５４  バネ部材、Ｒ  曲面、Ｓ  下部側面、Ｔ  下部側面
【図１】
0005426466.tif 000002
【図２】
0005426466.tif 000003
【図３】
0005426466.tif 000004
【図４】
0005426466.tif 000005
【図５】
0005426466.tif 000006
【図６】
0005426466.tif 000007
【図７】
0005426466.tif 000008
【図８】
0005426466.tif 000009